(57)【特許請求の範囲】
【請求項１】
左右一対の第１のフレームと、当該第１のフレームに第１の支軸を介して回動可能に連結された左右一対の第２のフレームと、前記第２のフレームに前方が回動可能に連結され、前記第１のフレームに後方が第２の支軸を介して回動可能に連結された座板と、を具備し、前記第１のフレーム、前記座板、及び前記第２のフレームを折り畳むことによって平坦状に形成される折畳み椅子であって、
前記第１のフレームには、前記第２の支軸が係合する係合部が形成され、前記係合部は、前記第１のフレームの軸線に沿って形成されており、前記第１のフレームに対する前記第２のフレームの開閉動作に応じて、前記第２の支軸がこの係合部を移動し、
前記座板の側面には、前記支軸と前記第２の支軸の間に、前記第１のフレームに対する前記第２のフレームの折り畳み動作によって、前記係合部に係合する突起体が設けられていることを特徴とする折畳み椅子。
【請求項２】
前記第１及び第２のフレームの下端面には、弾性を有し略円弧状に突出する弾性体が設けられていることを特徴とする請求項１に記載の折畳み椅子。
【請求項３】
前記第１のフレームは、左右の長脚体と、この左右の長脚体の上端に架け渡されるように配置される長脚用連結体と、を備え、
前記座板の後方は、中央部に凹部が形成されており、
前記第１のフレーム、前記座板、及び前記第２のフレームを折り畳んだ際に、前記長脚用連結体と前記座板との間には、前記凹部によって取手として機能させるための隙間を有していることを特徴とする請求項１、又は２に記載の折畳み椅子。
【請求項４】
サーバーラックに有する隙間に収納可能であることを特徴とする請求項１〜３のいずれか一項に記載の折畳み椅子。
【発明の詳細な説明】
【技術分野】
【０００１】
本発明は、折畳み椅子に関し、特に、サーバーラックに有する隙間に収納可能な折畳み椅子に関する。
【背景技術】
【０００２】
従来から座板を上側に回動させることで、後方フレームが前方フレームの後側に重なり合うように回動し、折り畳むことが可能な折畳み椅子が知られている。
【０００３】
一方、サーバーラックは、サーバーとして機能するコンピュータ等の電子機器を収納するものである。このようなサーバーラックはラックフレームを有し、このラックフレームに、例えば、平坦状に形成された水平板を取り付けることによって領域を区分することができる。このようなサーバーラックは、室内に複数組み合わされて配置されており、このようなサーバーラックに収容されているサーバーのメンテナンス作業では、作業者は、例えば折畳み椅子に座ってコンピュータを膝の上に置くなどして作業を行う。
【０００４】
一般に知られている折畳み椅子は、その全体形状が湾曲して形成されており、サーバーラックに収容しにくく、通常は室内の適当な場所に保管されている。よって、折畳み椅子を用いる場合には、その折畳み椅子が保管されている場所まで取りに行く必要がある。
【０００５】
なお、平坦状に折畳み可能な折畳み椅子であれば、収納し易く便利であり、このような折畳み椅子は従来から存在する（例えば、特許文献１参照）。
【先行技術文献】
【特許文献】
【０００６】
【特許文献１】特許第３６９２３０３号公報
【発明の開示】
【発明が解決しようとする課題】
【０００７】
一般的に知られている従来の折畳み椅子は、後方部でのみ座板を支持するため、座板が変形し易いという問題がある。
【０００８】
また、特許文献１に示す折畳み椅子は、構造が複雑となり製造コストが嵩むという問題と、収納部にぴったりと収まった場合に取り出しにくいという問題がある。
【０００９】
そこで、本発明は上記問題を課題の一例として為されたもので、その第１の目的は、簡易な構造であって平坦状に折畳み可能な折畳み椅子を提供することであり、第２の目的は、狭い場所に収納し易く、且つ取り出し易い折畳み椅子を提供することである。
【課題を解決するための手段】
【００１０】
上記課題を解決するために、請求項１に記載の折畳み椅子（３０）は、左右一対の第１のフレーム（３７）と、当該第１のフレームに第１の支軸（３４）を介して回動可能に連結された左右一対の第２のフレーム（３６）と、前記第２のフレームに前方が回動可能に連結され、前記第１のフレームに後方が第２の支軸（４６）を介して回動可能に連結された座板（３１）と、を具備し、前記第１のフレーム、前記座板、及び前記第２のフレームを折り畳むことによって平坦状に形成される折畳み椅子であって、前記第１のフレームには、前記第２の支軸が係合する係合部（４５）が形成され、前記係合部は、前記第１のフレームの軸線に沿って形成されており、前記第１のフレームに対する前記第２のフレームの開閉動作に応じて、前記第２の支軸がこの係合部を移動し、前記座板の側面には、前記支軸と前記第２の支軸の間に、前記第１のフレームに対する前記第２のフレームの折り畳み動作によって、前記係合部に係合する突起体（５０）が設けられているすることを特徴とする。
【００１１】
また、請求項２に記載の折畳み椅子は、請求項１に記載の折畳み椅子において、前記第１及び第２のフレームの下端面には、弾性を有し略円弧状に突出する弾性体（３８）が設けられていることを特徴とする。
【００１２】
また、請求項３に記載の折畳み椅子は、請求項１、又は２に記載の折畳み椅子において、前記第１のフレームは、左右の長脚体（３７）と、この左右の長脚体の上端に架け渡されるように配置される長脚用連結体（３７ａ）と、を備え、前記座板の後方は、中央部に凹部（４２）が形成されており、前記第１のフレーム、前記座板、及び前記第２のフレームを折り畳んだ際に、前記長脚用連結体と前記座板との間には、前記凹部によって取手として機能させるための隙間を有していることを特徴とする。
【００１３】
また、請求項４に記載の折畳み椅子は、請求項１〜３のいずれか一項に記載の折畳み椅子において、サーバーラックに有する隙間に収納可能であることを特徴とする。
【発明の効果】
【００１４】
本発明によれば、簡易な構造ながら平坦状に折り畳むことができる。また、取手が設けられているため狭い場所であっても取り出し易い。
【図面の簡単な説明】
【００１５】
【図１】折畳み椅子を閉じた状態の外観を示し、図１（ａ）は正面図、図１（ｂ）は右側面図である。
【図２】折畳み椅子を展開した状態の外観を示し、図１（ａ）は正面図、図１（ｂ）は右側面図である。
【発明を実施するための形態】
【００１６】
以下、本願の最良の実施形態について添付図面を参照して説明する。なお、便宜的に図１において、奥行、上下、及び左右方向を、折畳み椅子の前後、上下、及び左右方向として説明する。
【００１７】
本実施形態の折畳み椅子３０は、例えば、アルミニウムやＳＵＳ等の金属材料の削り出しにより形成され、図２（ｂ）に示すように利用者が着座するための平板状の座板３１と、この座板３１を支持する支持脚３３と、を備えており、図１（ｂ）に示すように、折畳み椅子を展開した状態から、側面視で平坦状に折畳むことが可能になっている。
【００１８】
支持脚３３は、側面視で略「Ｘ」字状の左右一対のＸ脚で構成され、各Ｘ脚は支軸３４（本願の第１の支軸）を介して相互に回動脚自在に連結した短脚体３６（本願の第２のフレーム）及び長脚体３７（本願の第１のフレーム）を備えている。左右の短脚体３６は、図１（ａ）に示すように、正面視で略Ｈ字状になるように短脚用連結体３６ａにより連結される。一方、左右の長脚体３７は、上端が架け渡されるように長脚用連結体３７ａにより連結される。また、図１（ａ）及び図２（ａ）に示すように、正面視において、左右の短脚体３６の幅は、左右の長脚体３７の幅よりも狭く形成されており、長脚体３７の内側に短脚体３６が配置されている。
【００１９】
短脚体３６及び長脚体３７の下端部先端には、溝が形成され、この溝には、樹脂等で形成される弾性体３８が、短脚体３６及び長脚体３７を水平方向に貫通する支持ピン３９により取り付けられている。弾性体３８は、当該短脚体３６及び長脚体３７の先端部よりも下方に突出するように取り付けられており、この弾性体３８が床面と接触することで、床面との接触による傷つきが防止される。
【００２０】
また、支軸３４は、左右の内側に位置する短脚体３６と外側に位置する長脚体３７とを貫通するピン状の部材が抜け止めされることで取り付けられている。
【００２１】
左右の短脚体３６は、上端部において支軸４１を介して相互に回動自在に座板３１の前方部が連結されている。この支軸４１は、座板３１の前方両側端部から外側に突出して設けられたピン状の部材であり、短脚体３６を貫通して抜け止めされることで取り付けられている。
【００２２】
座板３１は、短脚体３６と長脚体３７の下端を揃えた状態において、短脚体３６と長脚体３７とで囲まれる領域に収まるように略方形に形成されている。座板３１の両側下端部（側面視では前方部）は、短脚体３６の幅に合わせて狭まるように段差を有して形成されている。また、その上端部（側面視では後方部）の中央には、図１（ａ）に示すように、使用者の持ち運び易さを考慮して空間を有するように凹部４２が形成されている。
【００２３】
左右の長脚体３７には、上方部に軸線に沿って長孔４５（本願の係合部）が形成されており、座板３１の後方部は支軸４６（本願の第２の支軸）を介して当該左右の長脚体３７に形成されている長孔４５と係合して左右の長脚体３７に取り付けられている。そして、折畳み椅子３０を展開した状態において、この支軸４６は、長孔４５の下端部に位置し、折畳み椅子３０を閉じると、支軸４６が長孔４５の上方へと移動し、完全に折畳み椅子３０を閉じた状態において、この支軸４６は、長孔４５の上端部に位置する。この支軸４６は、座板３１の後方両側端部から外側に突出して設けられたピン状の部材であり、例えば、その周囲には樹脂等により形成された弾性部材が取り付けられ、長孔４５の内側を摺動しつつ移動する。
【００２４】
また、座板３１の両側前後に設けられている支軸４１、４６間の側面部には、その両側端部から外側に水平方向に突出する突起体５０が回転可能に設けられており、折畳み椅子３０を閉じて後方の支軸４６が長孔４５の上端部に配置され、座板３１と長脚体３７とが完全に重なる際に、当該突起体５０が長脚体３７の端部を乗り越えて長孔４５と係合する。この係合によって、座板３１が回動することを防止し、折り畳まれた状態を維持可能となっている。これにより、折畳み椅子３０を持ち運ぶ際に、折畳み椅子３０が展開することを防止することが可能である。
【００２５】
また、座板３１及び支持脚３３の厚みを同一とすることで、折畳み椅子３０を閉じた状態において、同幅で平坦状に折畳まれることになり、収容体１０に折畳み椅子３０が収容された際に、折畳み椅子を載置する載置面との接触面積を大きくとることができるのでずれにくく載置しておくことが可能である。
【００２６】
ここで、図１及び図２を用いて、折畳み椅子３０の折り畳み動作について説明する。図６に示す展開状態では、座板３１が水平状態に支持脚３３によって支持され、長脚体３７が座板３１に対して直角からやや開いた状態にある。このとき、短脚体３６及び長脚体３７は「Ｘ」字状に開いた状態に保持される。そして、この状態から、座板３１の後方部を上方に持ち上げると、支軸４６が長孔４５を上方へと移動し、座板３１と短脚体３６とが徐々に一直線状に近づきつつ、短脚体３６と長脚体３７とが閉脚しようとする。
【００２７】
さらに、座板３１と短脚体３６とが長脚体３７と重なるように折り畳むと、閉脚動作が更に進み、突起体５０が長脚体３７の端部を乗り越えて長孔４５と係合し、短脚体３６、座板３１、及び長脚体３７が完全に重なり、折畳み動作は終了する。逆の手順で、折畳み椅子３０が閉じた状態から、座板３１の前方部を前方へと引き出すと、短脚体３６と長脚体３７とが「Ｘ」字状に開き、折畳み椅子３０は展開される。
【００２８】
以上に説明したように、本実施形態の折畳み椅子は、折り畳まれた状態から椅子として機能するように組み立てることが簡単にできる。一方で、椅子として組み立てられた状態から、簡単に折り畳むことが可能である。
【００２９】
また、本実施形態の折畳み椅子３０は、折り畳まれた状態において、全体が略平坦状に形成される。よって、狭い隙間にすっきりと収めることができ、見栄えがよい。また、載置面に対して座板３１の面が接触するように配置することで、面接触により載置面に対してずれにくく載置しておくことが可能である。また、座板３１の後端に凹部４２を設けることで、長脚用連結体３７ａの中央部を取手として用いることができるので、取り出し易く且つ持ち運び等において作業性が良い。
【００３０】
なお、本願は本実施形態に限定されるものではなく、種々の形態にて実施することが可能である。例えば、本実施形態の機構を用いて、背もたれなしの折畳み椅子としても構わない。このようにすれば、折畳み椅子の小型化が図れ、座板を高めに設定することが可能となる。
【００３１】
また、長脚体３７に形成される長孔は溝等であっても構わない。
【符号の説明】
【００３２】
３０  折畳み椅子
３６  短脚体
３７  長脚体
３４、４６  支軸
４５  長孔
【図１】
0005393865.tif 000002
【図２】
0005393865.tif 000003